(57)【要約】      （修正有）【課題】サブ基板が端子形成面側へ倒れのを防止する手段を提供する。【解決手段】上面に載置部を有する載置台１０Ａと、この載置台１０Ａに設けられた端子挿入孔１０Ｂと、載置台１０Ａに略垂直方向に立ち上げられた倒れ防止壁１０Ｃとを有する基板ホルダー１０を備える構成としたものである。この構成により、サブ基板７がその端子形成面７Ｂ側へ倒れようとするのを基板ホルダー１０の載置台に対して略垂直方向に設けられた倒れ防止壁１０Ｃをサブ基板７の端子形成面７Ｂに対向させることにより抑制することができるため、倒れ分を小さく見積もることができ、その結果として電源装置の小型化を図ることができる。【選択図】図２
2008193027.tif 000002
【特許請求の範囲】
【請求項１】
上面に載置部を有する載置台と、
この載置台に設けられた端子挿入孔と、
前記載置台に対して略垂直方向に立ち上げられた第１の倒れ防止壁とを有する
基板ホルダー。
【請求項２】
載置台上面には、
第１の倒れ防止壁の端部において前記載置台に対して略垂直方向に立ち上がる基板挿入ガイド部を設けた
請求項１に記載の基板ホルダー。
【請求項３】
載置台下面には、
端子挿入孔から前記載置台外周部にまで伸びる溝を設けた
請求項１に記載の基板ホルダー。
【請求項４】
載置台下面には、
凸部を設けた
請求項１に記載の基板ホルダー。
【請求項５】
載置台上面には、
端子挿入孔から上方へ向けて広がる錐体孔を設けた
請求項１に記載の基板ホルダー。
【請求項６】
メイン基板と、
このメイン基板に略垂直に実装されるサブ基板とを備え、
前記サブ基板の端子を
請求項１〜５の内いずれかに記載の基板ホルダーにおける
端子挿入孔に挿入させるとともに、
前記サブ基板の端子形成面を
前記基板ホルダーの第１の倒れ防止壁に対向させた
電源装置。
【請求項７】
前記サブ基板には、
その端子と連続形成されたコの字状保持部を設けた
請求項６に記載の電源装置。
【請求項８】
基板ホルダーにおける
端子挿入孔の内少なくとも１つの孔の径が
サブ基板における端子の径よりも小さい構成とした
請求項６に記載の電源装置。
【請求項９】
基板ホルダーにはサブ基板の端子非形成面に対向する第２の倒れ防止壁を設け、
第１の倒れ防止壁と前記第２の倒れ防止壁の内少なくとも一方における
前記サブ基板と対向する面内には凸状体を設ける構成とした
請求項６に記載の電源装置。
【発明の詳細な説明】
【技術分野】
【０００１】
本発明は、基板保持に用いられる基板ホルダーとそれを用いた電源装置に関するものである。
【背景技術】
【０００２】
従来この種の電源装置は、図１１に示されるように、メイン基板１と、このメイン基板１に略垂直に実装されるサブ基板２とを備え、サブ基板２の端子３をメイン基板１の貫通孔４に挿入することにより構成されていた。
【０００３】
なお、この出願の発明に関する先行技術文献情報としては、例えば、特許文献１が知られている。
【特許文献１】特開２００５−１２３２３９号公報
【発明の開示】
【発明が解決しようとする課題】
【０００４】
このような従来の電源装置はその小型化が困難であることが問題となっていた。
【０００５】
すなわち、上記従来の構成においては、図１２に示すごとく、サブ基板２がその端子非形成面２Ａ側へ倒れようとするのを、コの字状保持部５の下面がメイン基板１上面に保持することにより防ぐことができるものの、サブ基板２がその端子形成面２Ｂ側へ倒れようとするのを防ぐことができない。そのため、他の部品等との絶縁性を確保するため、サブ基板２の倒れ分を予測して電源装置を設計しなければならず、その結果として電源装置の小型化が困難となってしまっていた。
【０００６】
そこで本発明は、電源装置の小型化を実現することを目的とする。
【課題を解決するための手段】
【０００７】
そして、この目的を達成するために本発明は、上面に載置部を有する載置台と、この載置台に設けられた端子挿入孔と、前記載置台に対して略垂直方向に立ち上げられた第１の倒れ防止壁とを有する基板ホルダーを備える構成としたものである。
【発明の効果】
【０００８】
この構成により、本発明の電源装置は、サブ基板がその端子形成面側へ倒れようとするのを、基板ホルダーの載置台に対して略垂直方向に立ち上げられた倒れ防止壁をサブ基板の端子形成面に対向させることにより、この端子形成面を第１の倒れ防止壁に当接保持させることにより抑制することができるため、倒れ分を小さく見積もることができ、その結果として電源装置の小型化を図ることができる。
【発明を実施するための最良の形態】
【０００９】
（実施の形態１）
以下、本発明の実施の形態１における基板ホルダーとそれを用いた電源装置について図面を参照しながら説明する。
【００１０】
本実施の形態の電源装置は、図１に示すごとく、メイン基板６と、このメイン基板６に略垂直に実装されるサブ基板７とを備え、サブ基板７の端子８をメイン基板６の貫通孔９に挿入する構成としている。
【００１１】
そして、メイン基板６とサブ基板７の間には、基板ホルダー１０の一部であり、その上面に載置部を有する載置台１０Ａを介在させるとともに、図２に示すごとく、この載置台１０Ａに設けた端子挿入孔１０Ｂに、コの字状保持部１１と連続形成された端子８を挿入させている。
【００１２】
また、サブ基板７の端子形成面７Ｂ側には、基板ホルダー１０の載置台１０Ａに対して略垂直に倒れ防止壁１０Ｃを形成しており、この倒れ防止壁１０Ｃと端子形成面７Ｂとを対向させる構成としている。
【００１３】
このような構成により、サブ基板７がその端子非形成面７Ａ側へ倒れようとするのを、端子８と連続形成されたコの字状保持部１１が載置台１０Ａの上面に当接し保持されることにより防ぐことができる。また、サブ基板７がその端子形成面７Ｂ側へ倒れようとするのを、基板ホルダー１０の載置台１０Ａに対して略垂直に立ち上げ形成した倒れ防止壁１０Ｃを端子形成面と対向させることにより、この端子形成面を倒れ防止壁１０Ｃに当接保持させることによって防ぐことができる。
【００１４】
その結果として、サブ基板７の倒れ分を小さく見積もることができ、電源装置の小型化を図ることができるのである。
【００１５】
なお、本実施の形態においては、倒れ防止壁１０Ｃはサブ基板７における端子形成面７Ｂ側のみに設ける構成としたが、端子形成面７Ｂ側と端子非形成面７Ａ側の両側に設ける構成としても構わない。
【００１６】
（実施の形態２）
以下、本発明の実施の形態２における基板ホルダーとそれを用いた電源装置について図面を参照しながら説明する。
【００１７】
なお、実施の形態１と同様の構成を有するものについては、同一符号を付しその説明を簡略化する。
【００１８】
本実施の形態の基板ホルダー１０は、図３に示すごとく、その載置台１０Ａの上面で倒れ防止壁１０Ｃの端部において、載置台１０Ａに対して略垂直方向に立ち上げられた基板挿入ガイド部１０Ｄを設ける構成としたものである。
【００１９】
このように、サブ基板７の側面部がこの基板挿入ガイド部１０Ｄ表面に接してスライドするようサブ基板７の端子８を端子挿入孔１０Ｂに挿入させる構成とすることにより、端子８と端子挿入孔１０Ｂとの位置関係が決まるため、容易にサブ基板７を基板ホルダー１０に装着させることができる。
【００２０】
（実施の形態３）
以下、本発明の実施の形態３における基板ホルダーとそれを用いた電源装置について図面を参照しながら説明する。
【００２１】
なお、実施の形態１と同様の構成を有するものについては、同一符号を付しその説明を簡略化する。
【００２２】
本実施の形態の基板ホルダー１０は、下方から見た斜視図である図４に示すごとく、載置台１０Ａの下面に、各端子挿入孔１０Ｂから載置台１０Ａの外周部にまで延びる溝１０Ｅを設けたものである。
【００２３】
このような構成とすることにより、サブ基板７をメイン基板６に実装する際に発生する気体状態のフラックスを、各溝１０Ｅから逃がすことができ、その結果として半田の破裂を抑制し、電気的接続を安定して行うことができるのである。
【００２４】
なお、下方から見た斜視図である図５に示すごとく、載置台１０Ａに凸部１０Ｆを形成する構成としても、上述のとおり、フラックスを逃がすことにより、電気的接続を安定して行うことができる。
【００２５】
ただし、図４に示すごとく、載置台１０Ａに溝１０Ｅを設ける構成とする方が、メイン基板６に対し基板ホルダー１０の載置台１０Ａが面接触する構成となるため、サブ基板７を安定的に保持する観点から望ましい。
【００２６】
（実施の形態４）
以下、本発明の実施の形態４における基板ホルダーとそれを用いた電源装置について図面を参照しながら説明する。
【００２７】
なお、実施の形態１と同様の構成を有するものについては、同一符号を付しその説明を簡略化する。
【００２８】
本実施の形態の基板ホルダー１０は、下方から見た斜視図である図６に示すごとく、端子挿入孔１０Ｂの内少なくとも１つの孔１０ＢＢの径がサブ基板の端子の径よりも小さい構成としたものである。
【００２９】
このような構成により、サブ基板７の端子が基板ホルダー１０の端子挿入孔１０Ｂから抜けにくくなり、メイン基板６にサブ基板７を実装する前に、基板ホルダー１０がサブ基板７から抜け落ちてしまう可能性を低減させることができるため、電源装置の生産性を向上させることができる。
【００３０】
（実施の形態５）
以下、本発明の実施の形態５における基板ホルダーとそれを用いた電源装置について図面を参照しながら説明する。
【００３１】
なお、実施の形態１と同様の構成を有するものについては、同一符号を付しその説明を簡略化する。
【００３２】
本実施の形態の基板ホルダー１０は、図７、図８に示すごとく、載置台１０Ａの上面には、端子挿入孔１０Ｂから上方へ向けて広がる錐体孔１０Ｇを設ける構成としたものである。
【００３３】
このような構成により、図７に示すサブ基板７に基板ホルダー１０を装着させる際、端子８の先端がこの錐体孔１０Ｇの内いずれかの部分にさえ接すれば、後はサブ基板７を基板ホルダー１０に押し組むだけで端子８を端子挿入孔１０Ｂまで導くことができるため、生産性を向上させることができる。
【００３４】
（実施の形態６）
以下、本発明の実施の形態６における基板ホルダーとそれを用いた電源装置について図面を参照しながら説明する。
【００３５】
なお、実施の形態１と同様の構成を有するものについては、同一符号を付しその説明を簡略化する。
【００３６】
本実施の形態の基板ホルダー１０は、図９に示すごとく、サブ基板７の端子形成面に対向する倒れ防止壁１０Ｃと、サブ基板７の端子非形成面に対向する倒れ防止壁１０Ｈとを備え、倒れ防止壁１０Ｃにおけるサブ基板７と対向する面内には、凸状体１０Ｉを設ける構成としたものである。
【００３７】
このような構成により、サブ基板７が凸状体１０Ｉと倒れ防止壁１０Ｈとにより挟み込まれることとなり、基板ホルダー１０がサブ基板７から抜けるのを抑制することができる。
【００３８】
なお、本実施の形態において凸状体１０Ｉは、サブ基板７の端子形成面に対向する倒れ防止壁１０Ｃに形成する構成としたが、サブ基板７の端子非形成面に対向する倒れ防止壁１０Ｈにおけるサブ基板７と対向する面内に形成する構成としても構わない。
【００３９】
（実施の形態７）
以下、本発明の実施の形態７における基板ホルダーとそれを用いた電源装置について図面を参照しながら説明する。
【００４０】
なお、実施の形態１と同様の構成を有するものについては、同一符号を付しその説明を簡略化する。
【００４１】
本実施の形態の基板ホルダー１０は、図１０に示すごとく、載置台１０Ａに連続形成された延長載置台１０Ｊを、倒れ防止壁１０Ｃに対して載置台１０Ａと反対側に設ける構成としたものである。
【００４２】
このような構成により、サブ基板７の倒れ防止の効果を増加させるとともに、成形後のヒケの発生を抑制することができる。
【００４３】
即ち、倒れ防止の効果を増加させる他の方法としては、倒れ防止壁１０Ｃの厚みを増加させることが挙げられるが、この厚みの増加に伴い、基板ホルダー１０の成形時にヒケが発生する可能性を高めてしまうこととなる。
【００４４】
従って、本実施の形態に示すごとく、延長載置台１０Ｊを倒れ防止壁１０Ｃに対して載置台１０Ａと反対側に形成する構成とすることにより、サブ基板７の倒れ防止の効果を増加させることができるとともに、基板ホルダー１０の厚みを厚くすることなく、成形後のヒケの発生を抑制することができるのである。
【産業上の利用可能性】
【００４５】
本発明の基板ホルダーは、電源装置の小型化を図ることができるという効果を有し、各種電子機器において有用である。
【図面の簡単な説明】
【００４６】
【図１】本発明の実施の形態１における電源装置を上方から見た分解斜視図
【図２】本発明の実施の形態１における電源装置の断面図
【図３】本発明の実施の形態２における電源装置を上方から見た分解斜視図
【図４】本発明の実施の形態３における基板ホルダーを下方から見た斜視図
【図５】本発明の実施の形態３における基板ホルダーの他の実施例を下方から見た斜視図
【図６】本発明の実施の形態４における基板ホルダーを下方から見た斜視図
【図７】本発明の実施の形態５における電源装置の断面図
【図８】本発明の実施の形態５における電源装置の下面図
【図９】本発明の実施の形態６における基板ホルダーを上方から見た斜視図
【図１０】本発明の実施の形態７における基板ホルダーを上方から見た斜視図
【図１１】従来の電源装置を上方から見た分解斜視図
【図１２】従来の電源装置の断面図
【符号の説明】
【００４７】
７  サブ基板
７Ｂ  端子形成面
９  端子挿入孔
１０  基板ホルダー
１０Ａ  載置台
１０Ｃ  倒れ防止壁
【図１】
2008193027.tif 000003
【図２】
2008193027.tif 000004
【図３】
2008193027.tif 000005
【図４】
2008193027.tif 000006
【図５】
2008193027.tif 000007
【図６】
2008193027.tif 000008
【図７】
2008193027.tif 000009
【図８】
2008193027.tif 000010
【図９】
2008193027.tif 000011
【図１０】
2008193027.tif 000012
【図１１】
2008193027.tif 000013
【図１２】
2008193027.tif 000014